【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
対応するファセットと交わってナイフエッジを形成するファセットで各々終わる第１及び第２の刃面を有し、少なくとも前記第１の刃面が、前記ファセットに隣接する下方平面部又は下方凹形状部を有し、前記刃面の下方平面部又は凹形状部が、刃の厚さの中心線に対し、刃の背に隣接して位置する同じ前記刃面の隣接する上部の角度と異なる角度で斜めに設けられる狩猟用及び類似のナイフを精密に研ぐことができ、
研ぎ面を有する研ぎ部材と、
前記第１の刃面のファセットを前記研ぎ面と正確な角度関係に位置させるために、前記第２の刃面と接したスライドを可能とし、かつ接触を維持できるようにデザインされた平面角度ナイフガイド表面を有するナイフガイドと、
前記第１の刃面におけるファセットが研がれる間、前記第２の刃面における前記エッジに隣接する下部が押されて、前記ナイフガイドのガイド表面と合わされ、スライド可能に合わさった状態を維持するように、研がれる前記ファセットに隣接する前記第１の刃面の下方平面部又は下方凹形状部における１つ以上の位置で、主に前記第１の刃面に対して力を加える少なくとも一つのアームを有するナイフ保持バネと、を含み、
前記ナイフ保持バネは、主要な保持力を与えるエルボ、当該エルボの上の支持部、前記エルボの下の自由端を有し、当該自由端は、下方の刃面に接触し得る引っ込み形状である、ナイフ研ぎ器。
【請求項２】
前記研ぎ部材の研ぎ表面は、研磨剤によって覆われた表面である、請求項１に記載のナイフ研ぎ器。
【請求項３】
前記バネは、下方に伸びるアームにつながる湾曲部を有する略逆Ｕ字形であり、各アームはエルボ部を有し、前記エルボ部の間の間隔は、前記湾曲部の幅より大きく、前記アー
ムの各々は外自由端で終わり、前記外自由端がナイフ保持位置に配置された場合、前記外自由端は互いに向かって近づく、請求項１又は請求項２に記載のナイフ研ぎ器。
【請求項４】
対応するファセットと交わってナイフエッジを形成するファセットで各々終わる第１及び第２の刃面を有し、少なくとも前記第１の刃面が、前記ファセットに隣接する下方平面部又は下方凹形状部を有し、前記刃面の下方平面部又は凹形状部が、刃の厚さの中心に対し、刃の背に隣接して位置する同じ前記刃面の隣接する上部の角度と異なる角度で斜めに設けられる狩猟用及び類似のナイフを精密に研ぐ、
刃を、研ぎ器内において、研ぎ面を有する研ぎ部材及び平面角度ナイフガイドのナイフガイド表面に対して配置する工程と、
前記第１の刃面におけるファセットが研がれる間、前記第２の刃面における前記エッジに隣接する下部が押されて、前記ナイフガイドのガイド表面と合わされ、スライド可能に合わさった状態を維持するように、主に、研がれる前記ファセットに隣接する前記第１の刃面の下方平面部又は下方凹形状部における１つ以上の位置で、前記第１の刃面に対して力を加えるナイフ保持バネを用いることによって前記ナイフガイドに対して刃を保持する工程と、を有する、方法。
【請求項５】
ナイフの前記第２の刃面の上部を前記ナイフガイド表面に合わせるのに不十分な力を、前記バネによって刃の前記上部に対して加えることを含む、請求項４に記載の方法。
【請求項６】
前記第２の刃面における前記下部と前記ナイフガイド表面とが離れる力より小さい力を、前記バネによって刃の前記上部に対して加えることを含む、請求項４又は請求項５に記載の方法。
【請求項７】
隣接するファセットと交わってナイフエッジを形成するファセットで各々終わる２つの平面を有する５／８インチより低い高さの刃の一面に前記バネが保持力を加え、前記バネによって加えられる力は、前記刃の反対の面を、前記ナイフガイドのガイド表面とスライド可能に接した状態で保持するのに適した大きさである、請求項４〜請求項６のうちのいずれか１つに記載の方法。
【請求項８】
前記研ぎ部材の研磨剤によって覆われた表面からの研磨作用によって前記刃が研がれる、請求項４〜請求項７のうちのいずれか１つに記載の方法。
【請求項９】
対応するファセットと交わってナイフエッジを形成するファセットで各々終わる第１及び第２の刃面を有し、少なくとも前記第１の刃面が、前記ファセットに隣接する下方平面部又は下方凹形状部を有し、前記刃面の下方平面部又は凹形状部が、刃の厚さの中心線に対し、刃の背に隣接して位置する同じ前記刃面の隣接する上部の角度と異なる角度で斜めに設けられる狩猟用及び類似のナイフを精密に研ぐことができ、
研ぎ面を有する回転可能な研ぎ部材と、
前記第１の刃面のファセットを前記研ぎ面と正確な角度関係に位置させるために、前記第２の刃面と接したスライドを可能とし、かつ接触を維持できるようにデザインされた平面角度ナイフガイド表面を有するナイフガイドと、
前記第１の刃面におけるファセットが研がれる間、前記第２の刃面における前記エッジに隣接する下部が押されて、前記ナイフガイドのガイド表面と合わされ、スライド可能に合わさった状態を維持するように、研がれる前記ファセットに隣接する前記第１の刃面の下方平面部又は下方凹形状部における１つ以上の位置で、主に前記第１の刃面に対して力を加える少なくとも一つのアームを有するナイフ保持バネと、を含み、
前記ナイフ保持バネは、中間に配置されたエルボ、当該エルボの上の上部、及び前記エルボの下の自由端を有する、電動ナイフ研ぎ器。
【請求項１０】
前記回転可能な研ぎ部材はスライド可能にシャフトに取り付けられ、研ぎ部材バネは、前記研ぎ部材をシャフト上でスライドさせ、前記刃のエッジファセットが前記研ぎ部材と接するとともに前記刃面の下部が前記バネのアームと接する間、前記研ぎ部材バネは、前記ナイフ保持バネと協働して、刃の下部が前記ガイド表面と良好に接した状態で保持されるのを確かなものにする、請求項９に記載の電動ナイフ研ぎ器。
【請求項１１】
前記バネのアームの前記自由端は、前記バネのアームの前記上部の断面と比較してすぼんだ断面を有する、請求項９又は請求項１０に記載の電動ナイフ研ぎ器。
【請求項１２】
前記エルボは、前記自由端の先端から上方に５／８から３／４インチ離隔するとともに前記上部の上端から下方に５／８から３／４インチ離隔して位置する、請求項９〜請求項１１のうちのいずれか１つに記載の電動ナイフ研ぎ器。
【請求項１３】
刃が無いとき、前記バネのアームの前記自由端は前記ガイド表面に接している、請求項９〜請求項１２のうちのいずれか１つに記載の電動ナイフ研ぎ器。
【請求項１４】
刃が無いとき、前記バネのアームの前記自由端は、前記ガイド表面から距離をあけて離れている、請求項９〜請求項１２のうちのいずれか１つに記載の電動ナイフ研ぎ器。
【請求項１５】
前記ナイフ保持バネは、２つの前記アーム及び互いに離れる前記アームの自由端を有する逆Ｕ字状である、請求項９〜請求項１４のうちのいずれか１つに記載の電動ナイフ研ぎ器。
【請求項１６】
前記ナイフ保持バネは、２つの前記アーム及び先端で互いに向かって近づく前記アームの自由端を有する逆Ｕ字状である、請求項９〜請求項１４のうちのいずれか１つに記載の電動ナイフ研ぎ器。
【請求項１７】
複数の台を有し、当該台の各々は、動力駆動の回転可能な研ぎ部材を有し、前記ナイフ保持バネは２つの前記アームを有する逆Ｕ字状で、前記ナイフ保持バネは２つの前記台の間に設けられ、前記バネのアームの各々は前記台の各々に配置される、請求項９〜請求項１６のうちのいずれか１つに記載の電動ナイフ研ぎ器。
【請求項１８】
前記バネのアームの前記自由端は、前記バネのアームの前記上部の断面と比較してすぼんだ断面を有する、請求項１〜請求項３のうちのいずれか１つに記載のナイフ研ぎ器。
【請求項１９】
前記エルボは、前記自由端の先端から上方に５／８から３／４インチ離隔するとともに前記上部の上端から下方に５／８から３／４インチ離隔して位置する、請求項１〜請求項３、及び請求項１８のうちのいずれか１つに記載のナイフ研ぎ器。
【請求項２０】
刃が無いとき、前記バネのアームの前記自由端は前記ガイド表面に接している、請求項１〜請求項３、請求項１８、及び請求項１９のうちのいずれか１つに記載のナイフ研ぎ器。
【請求項２１】
刃が無いとき、前記バネのアームの前記自由端は、前記ガイド表面から距離をあけて離れている、請求項１〜請求項３、請求項１８、及び請求項１９のうちのいずれか１つに記載のナイフ研ぎ器。
【請求項２２】
前記ナイフ保持バネは、２つの前記アーム及び互いに離れる前記アームの自由端を有する逆Ｕ字状である、請求項１〜請求項３、及び請求項１８〜請求項２１のうちのいずれか１つに記載のナイフ研ぎ器。
【請求項２３】
前記ナイフ保持バネは、２つの前記アーム及び先端で互いに向かって近づく前記アームの自由端を有する逆Ｕ字状である、請求項１〜請求項３、及び請求項１８〜請求項２１のうちのいずれか１つに記載のナイフ研ぎ器。
【請求項２４】
前記バネのアームは、１つの曲げ部を有する、請求項１〜請求項３、及び請求項１８〜請求項２３のうちのいずれか１つに記載のナイフ研ぎ器。
【請求項２５】
前記バネのアームの前記自由端は、曲げ部から先端に向かって真直ぐである、請求項１〜請求項３、及び請求項１８〜請求項２４のうちのいずれか１つに記載のナイフ研ぎ器。